【事件の表示】
　特許第３３８７４３９号「面照明装置及びこの面照明装置を用いた表示装置及びこの表示装置を用いた携帯機器」の請求項１ないし１２に係る特許に対する特許異議の申立てについて、次のとおり決定する。
【結　論】
　訂正を認める。
　特許第３３８７４３９号の請求項１ないし８に係る特許を維持する。
【理　由】
〔１〕訂正の適否についての判断
(1)訂正の内容
　特許権者が求めている訂正の内容は、以下のａ，ｂのとおりである。
　ａ．特許請求の範囲の請求項１に記載される「２直線のなす角が鋭角であることを特徴とする面照明装置。」を、
「２直線のなす角が鋭角であ
り、前記光導入部は、光が入射する入射面と光放出部に対して傾斜した反射面である端面とを備え、光源が入射面を挟んで端面の反対側に形成されており、光導入部を構成する導光板の端面が、光源近傍を中心とし扇状に広がった曲面よりなる
　ｂ．特許請求の範囲の請求項３，４，５及び６を削除し、この削除に伴い、請求項７〜12の各発明をそれぞれ新たな請求項３〜８の各発明とし、新たな請求項３〜８の各発明の従属する請求項の番号を上記の請求項番号の変更に整合するように訂正する。
　
(2)訂正の目的の適否、新規事項の有無及び拡張・変更の存否
　上記訂正事項ａ．は、発明特定事項である導光板の構成を限定するものであるから、特許請求の範囲の減縮を目的とするものである。
　また、願書に添付された明細書（以下、「特許明細書」という。）の段落【0028】の「導光板２の端面に、斜面でかつ光源１付近を中心に扇状に広がる曲面で構成され、光源１の真上に配置されている。」と記載されており、ここで「付近」は「近傍」の意味と解することが妥当である。
　また、図２には、光導入部３の断面が傾斜状になっていること、光源１が入射面を挟んで端面の反対側に形成されていることが示されており、さらに図３、図14には、光導入部３の平面が扇形に広がっていることが示されている。
　上記のことから、当該限定は、特許明細書に記載された事項の範囲内のものであり、新規事項の追加に該当しない。
　上記訂正事項ｂ．は、請求項の削除及びそれに伴い請求項の番号を整合させるものであるから、特許請求の範囲の減縮及び明りょうでない記載の釈明を目的とするものに該当し、新規事項の追加に該当しない。
　そして、上記いずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２〜４項の規定に適合するので、当該訂正を認める。
　
〔２〕特許異議申立てについての判断
(1)異議申立ての理由の概要
　ア．異議申立人・済藤隆義は、本件特許の請求項１〜12に係る発明は、甲第１号証（特開平10-223021号公報、以下、「刊行物１」という。）、甲第２号証（特開平9-230338号公報、以下、「刊行物２」という。）、甲第３号証（特開平9-21916号公報、以下、「刊行物３」という。）、甲第４号証（特開平5-13818号公報、以下、「刊行物４」という。）、甲第５号証（特開平7-320514号公報、以下、「刊行物５」という。）に記載された発明に基づいて当業者が容易に発明をすることができたものであるから、特許法第29条第２項の規定に違反してされたものである、と主張している。
　
　イ．異議申立人・小林文子は、本件特許の請求項１〜４に係る発明は、甲第１号証（特開平10-255530号公報、以下、「刊行物６」という。）、甲第２号証（特開平10-223021号公報、上記刊行物１と同じ。）、甲第３号証（特開平7-320514号公報、上記刊行物５と同じ。）、甲第４号証（特開平9-230338号公報、上記刊行物２と同じ。）、甲第５号証（特開平10-199318号公報、以下、「刊行物７」という。）、甲第６号証（特開平6-51130号公報、以下、「刊行物８」という。）に記載された発明に基づいて当業者が容易に発明をすることができたものであるから特許を受けることができない、
　又は、本件特許の請求項１、２に係る発明は、甲第７号証（特開平9-259623号公報、以下、「刊行物９」という。）に記載された発明であるから、特許法第29条第２項に違反してされたもの、又は同条第１項第３号の規定に違反してされたものである、と主張している。
　
　ウ．異議申立人・太田恵三は、本件特許の請求項１、２、８、10〜12に係る発明は、甲第１号証（特開平10-283817号公報、以下、「刊行物10」という。）に記載された発明に基づいて当業者が容易に発明をすることができたものであるから、特許法第29条第２項に違反してされたものである、と主張している。
　
(2)本件発明　
　上記〔１〕で示したように上記訂正が認められるから、本件の請求項１〜８に係る発明（以下、「本件発明１〜８」という。）は、上記訂正に係る訂正明細書の特許請求の範囲の請求項１〜８に記載された次の事項により特定されるとおりのものである。
「【請求項１】光源と、前記光源からの光を面内方向に導入する光導入部と前記光導入部からの光を導く導光部と前記導光部から導かれてきた光を放出する光放出部とを備えた導光板と、を備え、前記光源が前記導光板の角部に設けられた前記光導入部に近接して配置され、前記光源からの光は、前記光導入部，前記導光部を介して前記光放出部に導かれる面照明装置であって、前記光導入部を挟む前記導光板の第１の面と第２の面の前記光放出部側の２辺若しくは前記２辺をそれぞれ延在した２直線のなす角が鋭角であり、前記光導入部は、光が入射する入射面と光放出部に対して傾斜した反射面である端面とを備え、光源が入射面を挟んで端面の反対側に形成されており、光導入部を構成する導光板の端面が、光源近傍を中心とし扇状に広がった曲面よりなることを特徴とする面照明装置。
【請求項２】光導入部を挟む導光板の２つの面のうちの少なくとも一方の面の前記光放出部側の辺が、光源から遠ざかるに従って光放出部に近づくことを特徴とする請求項１記載の面照明装置。
【請求項３】光源として、発光ダイオードが使用され、前記発光ダイオードの光出射面に略凹状のレンズが配置されたことを特徴とする請求項１または２に記載の面照明装置。
【請求項４】光源として、一個の発光ダイオードのみ使用されたことを特徴とする請求項１から請求項３のいずれかに記載の面照明装置。
【請求項５】発光ダイオードに複数の発光素子が形成されていることを特徴とする請求項４記載の面照明装置。
【請求項６】液晶表示素子に近接して、請求項１から請求項５のいずれか１に記載の面照明装置が配置されたことを特徴とする表示装置。
【請求項７】面照明装置が、液晶表示素子の表示用配線が引き出された側に光源が配置されている面照明装置であることを特徴とする請求項６に記載の表示装置。
【請求項８】表示装置として、請求項６もしくは請求項７に記載の表示装置が使用されたことを特徴とする携帯機器。」
　
(3)刊行物に記載された発明
　ア．刊行物１には、面状発光装置及びそれを用いたディスプレイ装置に関して、図面とともに以下の事項が記載されている。
（ア−１）「透光性を有する導光板(101)と、該導光板(101)の端面に光学的に接続された少なくとも１つの発光素子(102)とを有する面状発光装置であって、前記発光素子(102)は、発光観測面側から見て前記導光板(101)の角に相当する隅部で光学的に接続されていることを特徴とする面状発光装置。」（特許請求の範囲の【請求項１】）
　
　イ．刊行物２には、照明装置に関して、図面とともに以下の事項が記載されている。
（イ−１）「１は、ＬＥＤ２からの光を導き、拡散させるための透明なアクリル材等で構成された拡散板であり、面1dにおいて光源ランプとして使用するＬＥＤ２に接している。拡散板１は、面1dから発光束の広がり角と同じ程度の開き角をもって広がり延びる導光部1aと、この導光部1aにより導かれた光をＬＥＤ５側へ乱反射させるための反射層1cを有する拡散部1bで構成されている。」（段落【0015】）
（イ−２）「図３は、ＬＥＤの発光相対放射強度の特性の一例を示す図であり、図４は、図３に示す特性を有するＬＥＤランプを光源に用いた場合の拡散板の形状を示す正面図である。図３、図４において、ＬＥＤ２の相対放射強度特性が最大で約35°程度の広がり角を有するので、この場合では、拡散板１の導光部1aの広がり角θ1は35°程度に設定される。また、拡散部1bには、底面1e及び一側端面1dから他側端面1fで規定される範囲と同じかよりわずかに小さく形成される反射層1cが設けられている。それ以外の構成は、図１と同様であるので説明を省略する。」（段落【0020】）
　
　ウ．刊行物３には、発光パネルアセンブリに関して、図面とともに以下の事項が記載されている。
（ウ−１）「図10および図11は、本発明による発光パネルアセンブリ60のさらに他の形状を模式的に示す。発光パネルアセンブリ60は、１つ以上の光放出領域62を有するパネル部材61を有する。本実施態様においては、軸外れ光遷移領域63が備えられている。軸外れ光遷移領域63の断面の厚さはパネル部材61の厚さよりも厚く、パネル部材61よりも厚い光遷移領域に埋め込まれるかさもなければ取り付けられた１つ以上の光源３の使用を可能とする。また、３次元反射表面64（図11）が遷移領域63に備えられ得る。さらに、プリズム65（図11）またはテーパー状にされるか、丸められるか、または他の形式とされる端部66（図11a）が光源３に対向するパネルの端部に取り付けられ得て端部反射板として機能する。光源３は互いに対してさまざまな角度にむけられて補償しあい、図10に示されるように遷移領域63において光線67が容易によりよく混合されおよび／またはより長さの短い遷移領域63が使用できるようにする。」（段落【0034】）
　
　エ．刊行物４には、表面実装型発光ダイオードに関して、図面とともに以下の事項が記載されている。
（エ−１）「３種類以下の発光ダイオードチップをマウントするチップ載置部を有するとともに、このチップ載置部の４隅にスルーホール形状の電極部を有し、チップ載置部に載置されたＬＥＤチップの電極を前記４隅の電極部の何れかに接続してなる表面実装型発光ダイオード。」（特許請求の範囲の【請求項１】）
　
　オ．刊行物５には、コーナー部光供給型面光源装置に関して、図面とともに以下の事項が記載されている。
（オ−１）「図４(1)に描かれているように、各ＬＥＤ３は側面13の一つづつ沿うような方向を向けて配置されているが、これは各ＬＥＤ３が指向性の光によって各側面13に沿った領域を分担し合う関係で、各側面13近傍に輝光不足分が発生すること防ぐという考え方によったものである。各ＬＥＤ３の配置姿勢は本実施例に示したものに限られるものではなく、例えば、各ＬＥＤ３を四辺形の対角線方向に向けて配置しても良い。・・・この場合には、図５(1)，(2)に例示したように、光散乱導光体１のコーナー部の形状を工夫して、光入射面における反射損失を減らすことが望ましい。図５(1)のように、光入射面を斜め直線カット面1Aとする構成は、ＬＥＤ３の放射光に強い指向性がある場合に適しており、図５(2)のように、光入射面を凹面形状のカット面1Bとする構成は、放射光の指向性が弱いＬＥＤ３を使用するケースに好適なものである。」（段落【0048】、【0049】）
　
　カ．刊行物６には、面光源装置に関して、図面とともに以下の事項が記載されている。
（カ−１）「発光部３から出射されて光入射面８から導光板２の内部に導かれた光ｆは、導光板２内部で全反射することによって導光板２内部に閉じ込められる。導光板２の内部の光ｆは拡散パターン５に入射すると拡散反射され、光出射面10へ向けて全反射の臨界角よりも小さな角度で反射された光ｆが光出射面10から外部へ取り出される。」（段落【0003】）
（カ−２）「バックライト型の液晶表示装置は、薄くて軽量であるので、電子手帳、携帯型パソコン等の携帯情報端末機や携帯電話等の携帯性の強い商品のディスプレイ装置として用いられている。このような携帯性の強い商品に用いる場合には、携帯性向上の面から、電池の長寿命化が強く要求されており、このディスプレイ装置に用いられるバックライトも低消費電力化が要求されている。」（段落【0011】）
　
　キ．刊行物７には、面光源装置に関して、図面とともに、以下の事項が記載されている。
（キ−１）「導光板12の上面が光射出面12aとなっており、下面には凹凸加工や拡散反射インクのドット印刷等によって拡散パターン（図示せず）が形成されている。この導光板12の下面には、表面反射率の高い材料、例えば硬質もしくは比較的軟質の白色プラスチックシートによって形成された反射板13が設けられている。また、光出射面12aの中央の矩形領域が有効領域Ｒとなっている。この有効領域Ｒは例えば液晶表示装置の面光源装置（バックライト）として用いられている場合でいえば、液晶表示パネルの画素が形成されている領域と対向している領域である。」（段落【0018】）
　
　ク．刊行物８には、点光源を用いた面照明装置用導光板に関して、図面とともに以下の事項が記載されている。
（ク−１）「本発明では光を反射する切れ込みが、点光源より放射状に広がる光を反射して線光源に近い状態にする機能を持つ。そのため、切れ込みの形状は用いられる点光源の配置を考慮して定められる。・・・図７は略三角形状の切れ込みの形状の例を示したものである。この切れ込みを形成する略三角形の二辺は図７(A)のように直線状でも良いし、図７(B)のようになめらかな曲線になっていても良い。さらに光源の配置と許容される切れ込みの深さが適当であった場合には、図７(C)のように二辺を外側に凸の放物線状に定める事ができる。」（段落【0016】、【0017】）
　
　ケ．刊行物９には、ＬＥＤ光源バックライトモジュールに関して、図面とともに以下の事項が記載されている。
（ケ−１）「前記光導入部92の夫々にはＬＥＤランプ93が対峙して配置され、このＬＥＤランプ93からの光を前記光源取付辺91aに対して直角に近い角度として導光板91の内部に導入する。このときに、前記導光板91の背面側の面には塗装など適宜な手段による反射処理91bが施されていて、前記した内部に導入された光を反射して前面から射出し、導光板91の前方に置かれた液晶表示装置（図示は省略する）を背面側から透過光で照明するものである。」（段落【0003】）
　
　コ．刊行物10には、面光源装置に関して、図面とともに以下の事項が記載されている。
（コ−１）「光を投光する点光源と、この点光源からの投光が入射され、この入射光を面状に広げて出射する導光板とを備えた面光源装置において、前記導光板の光入射端面に沿って配置され、前記点光源からの投光を該導光板の入射辺に平行な方向に広げる線光源化手段を備え、この線光源化手段は、前記点光源からの投光の一部を、前記導光板への入射方向とは反対方向に反射させ、さらにそれを導光板方向に反射させることで、該導光板の入射辺に平行な方向に伝搬させながら、該投光を該導光板の光入射端面に結合させるものであることを特徴とする面光源装置。」（特許請求の範囲の【請求項１】）
　
(4)対比・判断
　ア．本件発明１について
　（ア−１）刊行物１〜10には、本件発明１の発明特定事項である「光導入部は、光が入射する入射面と光放出部に対して傾斜した反射面である端面とを備え、光源が入射面を挟んで端面の反対側に形成されており、光導入部を構成する導光板の端面が、光源近傍を中心とし扇状に広がった曲面よりなる」点については、記載も示唆もされていない。
　しかも、本件発明１は、上記の点を備えることにより、「これにより光源１からの光が光導入部で拡散されて導光部内に導入されるため、輝度分布がより改善され、視認性が向上できる。」（公報段落【0028】参照。）という明細書に記載の顕著な効果を奏するものと認められる。
　したがって、本件発明１は、刊行物１〜10に記載された発明に基づいて、当業者が容易に発明をすることができたものと認めることができない。
　　
　（ア−２）刊行物９には、上記（ア−１）で検討したように、本件発明１の発明特定事項である「光導入部は、光が入射する入射面と光放出部に対して傾斜した反射面である端面とを備え、光源が入射面を挟んで端面の反対側に形成されており、光導入部を構成する導光板の端面が、光源近傍を中心とし扇状に広がった曲面よりなる」点が記載されておらず、またこの点は、自明のことでもない。
　したがって、本件発明１は刊行物９に記載されている発明ではない。
　
　イ．本件発明２〜８について
　本件発明２〜８は、本件発明１の発明特定事項を全て含むものであるから、上記（ア−１）の検討と同様の理由により、刊行物１〜10に記載された発明に基づいて当業者が容易に発明をすることができたものとはいえない。
   
〔３〕むすび
　以上のとおりであるから、特許異議申立ての理由及び証拠によっては、本件発明１〜８についての特許を取り消すことはできない。
　また、他に本件発明１〜８についての特許を取り消すべき理由を発見しない。
　よって、結論のとおり決定する。
【異議決定日】
平成１７年６月２０日（２００５．６．２０）
【訂正の要旨】
審決（決定）の【理由】欄参照。
（５４）【発明の名称】
面照明装置及びこの面照明装置を用いた表示装置及びこの表示装置を用いた携帯機器
（５７）【特許請求の範囲】
　【請求項１】
　光源と、前記光源からの光を面内方向に導入する光導入部と前記光導入部からの光を導く導光部と前記導光部から導かれてきた光を放出する光放出部とを備えた導光板と、を備え、前記光源が前記導光板の角部に設けられた前記光導入部に近接して配置され、前記光源からの光は、前記光導入部，前記導光部を介して前記光放出部に導かれる面照明装置であって、前記光導入部を挟む前記導光板の第１の面と第２の面の前記光放出部側の２辺若しくは前記２辺をそれぞれ延在した２直線のなす角が鋭角であ
り、前記光導入部は、光が入射する入射面と光放出部に対して傾斜した反射面である端面とを備え、光源が入射面を挟んで端面の反対側に形成されており、光導入部を構成する導光板の端面が、光源近傍を中心とし扇状に広がった曲面よりなる
　【請求項２】
　光導入部を挟む導光板の２つの面のうちの少なくとも一方の面の前記光放出部側の辺が、光源から遠ざかるに従って光放出部に近づくことを特徴とする請求項１記載の面照明装置。
　【請求項３】
　光源として、発光ダイオードが使用され、前記発光ダイオードの光出射面に略凹状のレンズが配置されたことを特徴とする請求項１
または２
　【請求項４】
　光源として、一個の発光ダイオードのみ使用されたことを特徴とする請求項１から請求項
３
　【請求項５】
　発光ダイオードに複数の発光素子が形成されていることを特徴とする請求項
４
　【請求項６】
　液晶表示素子に近接して、請求項１から請求項
５
　【請求項７】
　面照明装置が、液晶表示素子の表示用配線が引き出された側に光源が配置されている面照明装置であることを特徴とする請求項
６
　【請求項８】
　表示装置として、請求項
６
７
【発明の詳細な説明】
　【０００１】
　【発明の属する技術分野】
　本発明は、表示装置を照明する面照明装置に関し、特に発光ダイオード等の微小な光放出面を有する光源を用いた面照明装置、およびそれを用いた表示装置、およびそれを用いた携帯機器に関する。
　【従来の技術】
　【０００２】
　携帯電話やパーソナルハンディホンシステム等に搭載される液晶表示装置のバックライトとして用いられる面照明装置は、その光源として、小型で低消費電力であるチップ形状の発光ダイオードを用いた光源が使われている。さらに最近では、各種携帯情報端末機器や携帯音響機器、デジタルカメラ，ビデオカメラ等の携帯機器に関しても、小型化，電池の長寿命化および耐衝撃性向上等の理由により、表示部の面照明装置用光源が冷陰極管から発光ダイオードに変わりつつある。
　【０００３】
　これら発光ダイオード光源を用いた従来の面照明装置に関しては多様な構成がある。例えば、特公平３−３２０７５号に記載されているように、液晶表示体の背面側に上面発光の発光ダイオード光源を配置して液晶表示体の裏面に向かって直接的に光を照射して照明を行うものがあるが、装置の薄型化や液晶表示素子の背面における電子回路設置上の問題等から、携帯電話等の液晶表示装置のバックライトとしては、この液晶表示体の背面側に直接発光ダイオード光源を配置するものは少なくなっている。これに対して、携帯電話等の液晶表示装置のバックライトとしては、液晶表示素子の表示面の外側に発光ダイオード光源を配置する方法が多くとられており、例えば特公平５−２１２３３号に記載されているように、液晶ユニットの表示面の外側に上面発光の発光ダイオード光源を配置して反射面と樹脂板を用いて光を液晶表示ユニットの下方に導くことによって照明を行うもの等が知られている。
　【０００４】
　このように液晶表示素子の表示面の外側に発光ダイオード光源を配置した一例を、従来の面照明装置として図１１、図１２を用いて説明する。図１１は従来の面照明装置の正面図、図１２は同断面図であり、３１は発光ダイオードなどの光源、３２は導光板、３３は光導入部、３４は導光部、３５は光放出部、３６は光放出部３０の下面に散乱パターン３７の形成された散乱面、３８は散乱面３６の反対面となる光放出面、３９は反射シート、４０は拡散シート、４１は導光板３２，反射シート９および拡散シート１０を保持するホルダー、４１ｃはホルダー４１に形成された反射面、４２は光源の実装された回路基板である。光源３１から発せられた光は反射面４１ｃで反射された後、光導入部３３より導光板３２の内部に入射する。この導光板３２の内部に入射した光は導光部３４で拡散されて光放出部３５に入り、散乱パターン３７により一部は散乱され光放出面３８より出射し、また一部は散乱パターン３７を透過し反射シート９により反射され再度光放出部３５の内部に入射後光放出面３８より出射される。光放出面３８より出射した光は拡散シート１０によりその進行方向を乱され、若干の輝度分布の一様化が図られる。
　【０００５】
　現在、携帯機器の小型軽量化のため、面発光装置においては導光板３２の小型化が求められている。同時に、低消費電力化および実装等のコスト削減のため、光源３１の使用数削減が求められている。
　【０００６】
　しかしながら、前記従来の面照明装置等では、小型化のため図１１中に示す導光路長Ｌ２が短小化され、光源の使用数が減ると、光放出面３８側から見た面内の輝度分布が増加してしまう。図１３に示す線Ｉは典型的な発光ダイオードの指向特性を示すグラフである。従来の技術において、例えば光源を図１１の中央一個のみにすると、図１１中の光放出部Ｓ４近辺は主に図１３中Ｐ３付近の光を用いて照明することになるため、主にＰ１付近の光で照明するＳ３部とは大きな輝度差が生じ輝度分布が悪化する。このことは図１３のＩＩに示すような中央付近に偏った輝度分布を有する発光ダイオードを用いた場合には更に顕著になる。
　【０００７】
　このため、図１１中破線ｖｗおよび破線ｘｙで導光板を切断し、利用する光を図１３中Ｐ４の内側の範囲内に規制することで輝度分布を低減しようとする試みがなされている。ここで、図１１中に示すように、導光板の破線ｖｗと破線ｘｙのなす角Ａ３を光拡散規制角と呼ぶことにする。この光拡散規制角Ａ３を狭めることで輝度分布の改善に大きな効果が認められるが、一方で光源から光放出部へ至る導光路長Ｌ２を短小化させるためには逆に光拡散規制角Ａ３を広げることが必要となる。
　【発明が解決しようとする課題】
　【０００８】
　このように、従来の面照明装置では、光拡散規制角Ａ３が少なくとも鈍角となり、光源からの光を十分拡散して光放出部３０に入射させることができないため、図１１におけるＳ３部近傍が明るくなりＳ４部近傍は暗くなるという輝度分布を改善できない。このような輝度分布は、液晶表示素子等のバックライトとして用いる場合、表示文字等が一部見難くなり、さらには暗くて認識できない表示部分を生じることにもなり、表示品質を著しく損なってしまう。
　【０００９】
　本発明は、上記の従来の課題を解決するものであり、発光ダイオード等の光源の使用数が少なく導光路長が短くても、輝度分布が良好で視認性に優れた面照明装置を提供することを目的とする。
　【課題を解決するための手段】
　【００１０】
　上記の課題を解決するため、本発明の面照明装置は、光源と、前記光源からの光を面内方向に導入する光導入部と前記光導入部からの光を導く導光部と前記導光部から導かれてきた光を放出する光放出部とを備えた導光板と、を備え、前記光源が前記導光板の角部に設けられた前記光導入部に近接して配置され、前記光源からの光は、前記光導入部，前記導光部を介して前記光放出部に導かれる面照明装置であって、前記光導入部を挟む前記導光板の第１の面と第２の面の前記光放出部側の２辺若しくは前記２辺をそれぞれ延在した２直線のなす角が鋭角となるように構成した。
　【００１１】
　また、光導入部を挟む導光板の２つの面のうちの少なくとも一方の面の光放出部側の辺が、光源から遠ざかるに従って光放出部に近づくように構成されている。
　【発明の実施の形態】
　【００１２】
　請求項１に記載の発明は、光源と、前記光源からの光を面内方向に導入する光導入部と前記光導入部からの光を導く導光部と前記導光部から導かれてきた光を放出する光放出部とを備えた導光板と、を備え、前記光源が前記導光板の角部に設けられた前記光導入部に近接して配置され、前記光源からの光は、前記光導入部，前記導光部を介して前記光放出部に導かれる面照明装置であって、前記光導入部を挟む前記導光板の第１の面と第２の面の前記光放出部側の２辺若しくは前記２辺をそれぞれ延在した２直線のなす角が鋭角であることにより、光源から光放出部へ至る導光部の広がりを狭められ、光導入部から光放出部へ至る導光路長を短くしても、光源の発する光を光放出部の隅々まで導くことができる。
　【００１３】
　請求項２に記載の発明は、請求項１において光導入部を挟む導光板の２つの面のうちの少なくとも一方の面の前記光放出部側の辺が、光源から遠ざかるに従って光放出部に近づくことにより、光源からの光を効率よく光放出面方向に導くことができるので、光の利用効率をより高く、輝度むらを少なくすることができる。
　【００１４】
　請求項３に記載の発明は、光源と、前記光源からの光を面内方向に導入する光導入部と前記光導入部からの光を導く導光部と、光を外部に出射する出射面とを備えた導光板と、前記出射面に沿って配置され前記出射面からの出射光を乱反射する乱反射板とを備え、前記光源が前記導光板の角部近傍に設けられた前記光導入部に近接して配置され、前記光源からの光は、前記光導入部，前記導光部を介して前記出射面に導かれる面照明装置であって、前記光導入部を挟む前記導光板の第１の面と第２の面の前記光放出部側の２辺若しくは前記２辺をそれぞれ延在した２直線のなす角が鋭角であることにより、面照明装置の軽量化を実現しつつ、光源の発する光を光放出部の隅々まで導くことができる。
　【００１５】
　請求項４に記載の発明は、光導入部を挟む導光板の２つの面のうちの少なくとも一方の面の前記光放出部側の辺が、光源から遠ざかるに従って出射面に近づくことにより、面照明装置を軽量化しつつ、光の利用効率をより高く、輝度むらを少なくすることができる。
　【００１６】
　請求項５に記載の発明は、光導入部は、光が入射する入射面と光放出部に対して傾斜した端面とを備え、光源が入射面を挟んで端面の反対側に形成されていることにより、効率よく光を導光板内部に導くことができると共に、光源を導光板の側面に載置した場合に比べて、導光板の厚み分光源から光導入部までの距離が増加するため、導光部の面積を小さくできる。
　【００１７】
　請求項６に記載の発明は、請求項５において光導入部を構成する導光板の端面が、光源近傍を中心とし扇状に広がった曲面よりなることにより、光源からの光が光導入部での反射により拡散されて導光部に導入されるため、導光部内における光の拡散効果をさらに向上できる。
　【００１８】
　請求項７に記載の発明は、光源として、発光ダイオードが使用され、前記発光ダイオードの光出射面に略凹状のレンズが配置されたことにより、光放出面積の小さい発光ダイオードからの出射光を略凹状のレンズであらかじめ拡散させて光導入部に入射させるため、導光部内における光の拡散効果をさらに向上できる。
　【００１９】
　請求項８に記載の発明は、光源として、一個の発光ダイオードのみ使用したことにより、光源における消費電力を削減でき、かつ導光板の光導入部の面積を小さくできるという作用を有する。
　【００２０】
　請求項９に記載の発明は、発光ダイオードに複数の発光素子が形成されていることにより、発光素子を選択的に用いることができるので、発光色を替えたり、故障時のスペアとして利用することができる。
　【００２１】
　請求項１０に記載の発明は、液晶表示素子に近接して、請求項１から請求項９のいずれか１に記載の面照明装置が配置したことにより、面照明装置を小型化かつ低消費電力化でき、表示装置の表示面の輝度分布も少なくできる。
　【００２２】
　請求項１１に記載の発明は、請求項１０に記載の表示装置において、面照明装置が、液晶表示素子の表示用配線が引き出された側に光源が配置されている構成としたものであり、光源を液晶表示素子の表示用配線で覆うため、光源からの迷光があってもそれが表示面から漏れ出るのを防ぐことができるという作用を有する。
　【００２３】
　請求項１２に記載の発明は、表示装置として、請求項１０もしくは請求項１１に記載の表示装置が使用された携帯機器であり、表示装置を表示面の輝度分布を悪化させることなく小型化かつ低消費電力化できるという作用を有する。
　【００２４】
　次に、本発明の本実施の形態について、図を用いて説明する。
　【００２５】
（実施の形態１）図１は本実施の形態１における面照明装置の正面図、図２は本発明の実施の形態１における面照明装置の断面図、図３は本発明の実施の形態１における面照明装置の要部正面図である。
　【００２６】
　図において、１は光源で、豆電球、麦球、発光ダイオード等が考えられるが、ここでは非常に微小な光放出面積（具体的には２．５ｍｍ２以下）を有する点状光源であり、小型で発光効率の高い発光ダイオードを用いた。これにより、消費電力を低減できるとともに光源の設置面積を低減できるので、面照明装置の小型化を実現できる。特に光源１として、一個の発光ダイオードのみ使用することにより、輝度分布を悪化させることなく最も小型化および低消費電力化できる。なお光源１は１つの発光素子を有するものを用いても、複数の発光素子を有するものを用いてもよい。発光ダイオードに複数の発光素子が形成さ
れている場合には、発光素子を選択的に用いることができるので、発光色を替えたり、故障時のスペアとして利用することができる。
　【００２７】
　２は導光板であり、材質としてはメタクリル樹脂やポリカーボネイト樹脂等の高透過特性を有する有機材料やガラスが好適であるが、本実施の形態では、金型による射出成型が可能で形状の自由度と量産性が高い樹脂製とし、さらに光の透過率が高いメタクリル樹脂を用いた。
　【００２８】
　導光板２は、光導入部３，導光部４，光放出部５より構成されている。なお、図３中の光放出部５の角部ｒ，ｎを結ぶ点線は、導光部４と光放出部５の境界の概要を示しており、ｍ，ｑ，ｐ，ｌはそれぞれ導光板２の所定の角部を示している。まず光導入部３は、導光板２の面内方向に光を導く働きを有し、光源１が導光板２の下方に形成されている場合には、光が入射する入射面と、その入射面から入射してきた光を光放出部５の方に反射する働きを有する反射面から形成されることが多い。この反射面は、導光板２の端面に、斜面でかつ光源１付近を中心に扇状に広がる曲面で構成され、光源１の真上に配置されている。これにより光源１からの光が光導入部で拡散されて導光部内に導入されるため、輝度分布がより改善され、視認性を向上できる。また光源１が導光板２の光導入部３の下方に配置されているので、面照明装置をより小型化できる。
　【００２９】
　次に、光放出部５は、光を導光板２から外部に放出する部分であり、一方の面は光を外部に放出する光放出面８となっており、反対側の端面は、散乱パターン７の形成された散乱面６となっている。散乱パターン７は乳白色〜白色インクで光放出部５の下面に印刷されたドットであり、図３中に示すように光源１から離れるにつれ面積比率が増加するように配置されている。光放出部５に入射した光は光源１に近い方が明るくなる傾向にあり、このため上記のように散乱パターン７の印刷面積を変化させることにより光放出面８の輝度分布をある程度均一化することができる。散乱パターン７の乳白色〜白色インクとしてはメジウムに酸化チタン等の白色微粒子を分散させたものが好適であるが、必ずしも着色粒子を混入せずともよく、インク中にインクより屈折率の大きいガラスビーズを入れたり、インク中にインクより屈折率の小さい空気泡を混入したものを用いても同様の効果が得られる。また散乱パターン７を、印刷ではなく微少な突起または窪みを導光体下面に直接多数形成することにより構成してもよい。また導光板２の端面に近接するように別部材で形成してもよい。
　【００３０】
　導光部４は、導光板２の端部ｑ，ｍから相対する角部ｐ，ｌに向かってＶ字状に広がるように形成されている。
　【００３１】
　９は散乱面６の下側に置かれた高反射率の反射シートであり、表面に酸化チタン等が混入された白色の反射層が形成されている。
　【００３２】
　１０は導光板２の光放出部５の上面に置かれた拡散シートで、表面に微小な凹凸が形成された半透明のフィルムであり、光放出部５からの出射光を散乱させることで照明輝度の均一化に寄与する。
　【００３３】
　１１は導光板２，反射シート９および拡散シート１０を所望の位置に保持するホルダーであり、本実施の形態では形状自由度と量産性の観点から樹脂製とした。樹脂の種類としてはアクリロニトリル−ブタジエン−スチレン、ポリカーボネイトなどが好ましく、また色は白色等の反射率の高い色が好ましい。１１は回路基板であり、光源１が実装され、ホルダー１１を定位置に保持して光源１が導光板２の光導入部３の真下に配置されるよう位置を規制している。
　【００３４】
　以上のように構成された本実施の形態における面照明装置の動作について説明する。まず、光源１からの光は、光導入部３の入射面から入射して、反射面で反射され、多くはメタクリル樹脂と空気の界面で起こる全反射条件を満たす角度成分を持つ光となって導光板２の面内方向に導かれる。導光板２に入射した光の一部は導光部４で反射されて導光板２の光放出部５方向に導かれ、一部の光は直接光放出部５へと導かれる。光放出部５では、その内部に導光部４より導入された光が全反射により効率よく閉じ込められるが、下面の散乱パターン７に当たった光はランダムな方向に反射あるいは透過され、全反射の臨界角を超える成分を持った光のみ導光板２の外側に出る。このうち、光放出面８に到達した光は出射されるが、反射シート９およびホルダー１１に当たった光は反射されて再度光放出部５の内部に戻る。こうして、導光板２内に導かれた光は、途中で吸収されるものを除きほとんどが光放出面８より出射されて面照明が行われる。
　【００３５】
　このように光源１からの光を、光導入部３の入射面から入射させ、反射面で反射してから導光板２の面内方向に導くことにより、導光板２の厚みにより光源１から光導入部３までの距離が増加する分導光部の面積を小さくでき、面照明装置をより小型化できる。
　【００３６】
　本実施の形態においては、光源１を導光板２の角部に配置し、そこから出射された光を導光板２の面内方向に導く際に、入射する光の分布の中心軸が、導光板２の外周の辺４ａ，４ｂに対して傾斜して導入するような構成としたことにより、導光板２の光放射部５により均一な輝度分布を待たせることができるので、視認性の良好な面照明装置を実現することができる。
　【００３７】
　また光源１を導光板２の光放出部５の角部近傍に配置し、図３中に示す導光部４の光導入部３近傍の光拡散規制角Ａ１を鋭角にする構成により、光源１となる発光ダイオードの光のうち、主に図１３に示すＰ２付近の相対強度の高い光で図１中に示す散乱板のＳ２部を照明することができる。また、光導入部３を光放出部５に平行な方向の断面が円弧状の曲面で構成しているため、図１３に示すＰ１近傍にある相対強度の高い光も前記Ｓ２部の照明に分配できる。以上のような構成により、Ｓ２部と、主に図１３に示すＰ１付近の相対強度の高い光で照明されるＳ１部との輝度差が減少し、輝度分布が改善される。視覚的に違和感が感じられなくなる輝度分布としては、その指標となる最小輝度を最大輝度で割った輝度比Ｒでみて少なくとも０．５以上必要であり、その達成にためには主にＳ２部を照明する光が相対強度で７０％以上であることが必要であった。このため、光拡散規制角Ａ１は９０度以下であることが望ましい。本実施の形態においては、光源を導光体の角部に配置するため、図１中に示した光源から光放出部へ至る導光路長Ｌ１を短くしても、光拡散規制角Ａ１を９０度未満に設定することが可能となる。このような特性を満たす範囲として、４５°≦Ａ１＜９０°とすることが好ましく、更に装置の小型化を実現しつつ更良好な特性を有する範囲として、６０°≦Ａ１≦８５°とすることが好ましい。特に８５°以下とすることにより、確実に導光板２に入射してきた光を非垂直に反射させることができるので、導光板２の外周で反射されてきた光が、光放出部５に入射することなく、光導入部３に戻り、迷光となって導光板２の外部に漏れ出して、本来光が出る部分以外のところを照明してしまうことを防止できる。また導光板２に入射してきた光のほとんどを光放出部５に導くことができるので、光の利用効率を向上させることができる。
　【００３８】
　実際に、光放出面が一辺３０ｍｍの正方形であり、導光路長Ｌ１が３ｍｍ，導光板厚みが１ｍｍ，光源としてＧａＮ系の緑色発光ダイオードを一個用い、従来の面照明装置は前記図１１において中央の発光ダイオードのみの構成で導光路長Ｌ２を３ｍｍ，光拡散規制角Ａ３を１６０度とし、本実施の形態は光拡散規制角Ａ１を８５度とした構成で各々作製した。両者共に発光ダイオードに流す電流を１０ｍＡとし、同一条件下で輝度分布を測定したところ、従来ではＲ＝０．１８だったのに対し、本実施の形態においてはＲ＝０．６８となり、半透過型の液晶表示素子を通して見た際にはほとんど輝度分布が感じられないほど大幅に改善された。
　【００３９】
　このように、本実施の形態においては、導光路長を短くしても導光部で入射光を導光板幅方向に十分拡げることができ、従来よりも少ない光源数で面発光輝度の均一化を図ることができる。導光路長の短小化は導光板体積の削減を可能とし、小型の面照明装置を得ることができる。また光源数の減少は消費電流の削減を可能とし、同時に光源の基板への実装工程を簡略化でき、低消費電力で量産性に優れた面照明装置を得ることができる。
　【００４０】
　また、本実施の形態においては、導光板２の外周部分のうち、角部ｍと角部ｌを結んだ直線４ｂが、光源１から遠ざかるに連れて光放出部５を構成する辺５ｂに近づいていくように、また角部ｑと角部ｐを結んだ直線４ａが、光源１から遠ざかるに連れて光放出部５を構成する辺５ａに近づいていくように構成されている。このような構成としたことにより、光源１から出射された光をより効果的に光放出部５方向に導くことができるので、輝度分布のより一層の均一化を図ることができ、特に領域Ｓ２部をより効率よく照らすことができる。さらに導光板２の投影面積をより小さくすることができるので、面照明装置内の空間の利用効率の向上を図ることができ、面照明装置の小型化ならびに設計の自由度の向上を図ることができる。
　【００４１】
　次に本実施の形態の面照明装置を用いて構成された表示装置と、さらにその表示装置を用いた携帯機器の例を図４および図５により説明する。図４は本発明の実施の形態１における携帯機器の正面図、図５は、本発明の実施の形態１における携帯機器の要部透視図である。図４において、１４は樹脂等よりなる筺体であり、その一部に電話番号等を表示する表示部１３が設けられている。図５はこの表示部を携帯電話の側面より透視したものであり、表示には液晶表示装置１７が使用されている。液晶表示装置１７は、本実施の形態１の面照明装置の上に半透過半反射型の液晶表示素子１５が搭載され、液晶表示素子１５の表示用配線１６が面照明装置の光源１を覆う位置にくるよう配置されている。液晶表示装置１７は、本実施の形態１の面照明装置を用いることで視認性を低下させることなく小型化かつ低消費電力化が図られ、また光源１からの迷光が発生し光放出面８以外から光が漏れた場合でも、液晶表示素子１５の表示用配線１６によりそのほとんどが遮蔽され、視認性のさらなる向上が図られている。表示部１３は液晶表示素子１３を透明部材よりなる表示窓１８を通して視認する構成となっており、液晶表示素子１５の使用により、小型で低消費電力でかつ表示部の視認性の良い携帯機器を得ることができる。以上のような構成を有する携帯機器では、光源１の使用個数を削減できるので、携帯機器の消費電力を低減できるとともに、光源１の配置面積を狭く、導光部の長さを短くできるので、携帯機器の小型化を実現することができる。
　【００４２】
　また空間の利用効率が向上するので、それぞれの設計の自由度が向上し、配線の取り回しや基板の配置等をより効率よく行うことができると共に、無理な配置をする必要がないので、無理な配置に起因する故障や不良の発生を抑制することができ、信頼性の高い表示装置及び携帯機器とすることができる。また表示装置や携帯機器の小型化を実現することができる。
　【００４３】
（実施の形態２）図６は本実施の形態２における面照明装置の正面図である。図中の光源１，反射シート９，拡散シート１０，ホルダー１１，回路基板１２は前記実施の形態１で述べたものと同様であり、ここでは説明を省略する。
　【００４４】
　本実施の形態では、光源１が２個使用され、導光板２にはその各々に光導入部２と導光部３が設けられている。導光部３は各々光放出部５の１辺にのみ広がっており、光放出部５の光源１に最も近い角に接する導光部３の角Ｂが略直角となる形状、すなわち導光部４の辺４ｃと光放出部５の辺５ｃとが光源１から遠ざかるに従って近づいていく構成となっている。このような構成とすることにより、本実施の形態においては、前記実施の形態１と同様の効果を保ちつつ導光部３の体積をより削減でき、面照明装置のさらなる小型化を図ることができる。
　【００４５】
　なお、本実施の形態においては２個の光源を使用したが、さらに照明面積を広げたり面照明輝度を向上させたい場合には、消費電流および面照明装置の大きさの許容範囲内で光源の使用個数を増やせばよい。
　【００４６】
　また、本実施の形態の面照明装置を用いれば、前記実施の形態１と同様に、小型で低消費電力でかつ表示部の視認性の良い表示装置および携帯機器を得ることができる。
　【００４７】
（実施の形態３）次に本発明の実施の形態３について図を用いて説明する。図１４は本発明の実施の形態３における導光板の正面図である。図中の光放出部５，光導入部３は、前記実施の形態１で述べたものと同様であり、ここでは説明を省略する。
　【００４８】
　本実施の形態では、導光部４の端部４ｃの形状は、導光板２の角部ｑ，ｐを結んだ直線よりも光放出部５側に凸の形状となっている。また導光部４の端部４ｄの形状は、導光板２の角部ｍ，ｌを結ぶ直線よりも光放出部５側に凸の形状となっている。このような構成としたことにより、光源１から出射された光の広がり角をＡ３よりも小さなＡ４とすることができるので、光源１からの光のうち、強度の大きい中心付近により近い部分の光を輝度が小さくなりがちなＳ２部に向かわせることができるので、より効率よくＳ２部の輝度を大きくすることができ、光放出部での輝度分布をより小さくすることができる。
　【００４９】
　また図１３のＩＩに示すような中央部分に偏った発光強度を有する光源を光源１として用いた場合にも、導光部４の凸になっている端部の働きにより効率よく均一化した光を光放出部５に導くことができるので、光放出部５における輝度分布を最小限に抑制することができる。従って使用する光源の発光強度特性によらず安定した性能を有する面照明装置を実現することができる。
　【００５０】
　なお本実施の形態では端部４ｃ，４ｄを光放出部５側に凸の形状としていたが、端部４ｃ，４ｄの形状を波形にしてもよいし、鋸波状等の曲面で構成してもよい。これにより光源１からの光に光放出部５における輝度分布を最小限に抑制するための最適な分布を持たせることができる。
　【００５１】
（実施の形態４）図７は本実施の形態４における面照明装置の正面図、図８は本実施の形態４の面照明装置の断面図で、図７の線ｔｕでの断面を示している。図９は本発明の実施の形態４における面照明装置の要部正面図で、導光板および乱反射板を示している。図１０は本発明の実施の形態４における光源の側面図である。図中の拡散シート１０，ホルダー１１，回路基板１２は実施の形態１で述べたものと同様であり、ここでは説明を省略する。
　【００５２】
　本実施の形態では、光源１９として、図１０に示すように素子基板２４に発光素子２３が実装され発光素子２３の周囲を円筒側面状の凹面部２６が形成された略透明なモールド樹脂２５で覆った構成の発光ダイオードを用いており、この凹面部２６の円筒中心線と対角線ｔｕが略平行となるように配置されている。このように光源１９として、発光ダイオードが使用され、その発光ダイオードの光出射面に略凹状のレンズを配置したことにより、光源からの光があらかじめ拡散されているため輝度分布がより改善され、視認性を向上できる。また、導光板２０を光導入部３と導光部４のみで構成し、メタクリル樹脂等の高透過材料を用いて形成している。導光部４の側面は光出射面２０ａおよび２０ｂとなっており、この光出射面に隣接して乱反射板２１が配置されている。乱反射板２１は光源１９より遠ざかるほど厚みが増すように形成されており、その表面には図８中に示すように断面が略三角状のレリーフである乱反射パターン２２が光源１９を中心とする同心円状に配置されている。乱反射板２１は、白色のアクリロニトリル−ブタジエン−スチレン樹脂を用い射出成型で乱反射パターン２２と一体に形成したが、材質は白色で反射率の高いものであれば樹脂以外でもよく、また乱反射パターン２２は印刷により形成してもよい。さらに、乱反射板２１をホルダー１１と一体に成型し作製してもよい。このような構成としたことにより、面照明装置全体の重さを実施の形態１のものに比べて軽くすることができるので、これを搭載した表示装置は非常に軽くなり、この表示装置を搭載した携帯機器は非常に軽量で、使用者の使い勝手のよいものとすることができる。
　【００５３】
　本実施の形態においては、光源１９のより入射した光は、前記実施の形態１と同様にして導光板２０の導光部４で拡散され、出射面である２０ａおよび２０ｂより出射される。出射された光は乱反射板２１の乱反射パターン２２で乱反射され、拡散シートへ入射して面発光する。なお、乱反射板２１に入射した光は光源１９に近い方が明るくなる傾向にあるため、乱反射パターン２２はその面積比率が光源１９から離れるにつれ増加するように配置され、輝度分布をある程度低減することができるようになっている。また、光源１９の光はモールド樹脂２５の凹面部２６によりあらかじめある程度拡散して出射されるため、導光板２０の導光部４における光拡散が促進され、輝度分布をより低減できる。
　【００５４】
　本実施の形態においては、光源１９を導光体２０の角部に配置し、図９中に示す導光部４の光導入部３近傍の光拡散規制角Ａ２を鋭角にしているため、前記実施の形態１と同様な理由により輝度分布が改善される。実際に、乱反射板の上面が一辺３０ｍｍの正方形であり、導光路長が３ｍｍ，導光板厚みが１ｍｍ，光源としてＧａＮ系の緑色発光ダイオードを一個用い、角度Ａ２を８５度とした構成で作製したところ、発光ダイオードに流す電流を１０ｍＡとした時の輝度分布がＲ＝０．７０となり、実施の形態１と同様に輝度分布改善効果が得られた。
このように、本実施の形態においては、小型・軽量で低消費電力かつ量産性に優れた面照明装置を得ることができる。また、本実施の形態の面照明装置を用いれば、小型・軽量で低消費電力でかつ表示部の視認性の良い表示装置および携帯機器を得ることができる。
　【発明の効果】
　【００５５】
　本発明の面照明装置は、光源と、前記光源からの光を面内方向に導入する光導入部と前記光導入部からの光を導く導光部と前記導光部から導かれてきた光を放出する光放出部とを備えた導光板と、を備え、前記光源が前記導光板の角部に設けられた前記光導入部に近接して配置され、前記光源からの光は、前記光導入部，前記導光部を介して前記光放出部に導かれる面照明装置であって、前記光導入部を挟む前記導光板の第１の面と第２の面の前記光放出部側の２辺若しくは前記２辺をそれぞれ延在した２直線のなす角が鋭角となるように構成したことにより、光源から光放出部へ至る導光路長を短くしても光源の発する光を光放出部の隅々まで導くことができ、これにより光源の使用数を削減できるため、小型で消費電力が少なく、かつ輝度分布が少なく視認性に優れた面照明装置を得ることができる。
　【００５６】
　また、光導入部を挟む導光板の２つの面のうちの少なくとも一方の面の光放出部側の辺が、光源から遠ざかるに従って光放出部に近づくように構成されていることにより導光部の面積を削減でき面照明装置を小型化できる。
【図面の簡単な説明】
　【００５７】
　【図１】
　本発明の実施の形態１における面照明装置の正面図
　【図２】
　本発明の実施の形態１における面照明装置の断面図
　【図３】
　本発明の実施の形態１における面照明装置の要部正面図
　【図４】
　本発明の実施の形態１における携帯機器の正面図
　【図５】
　本発明の実施の形態１における携帯機器の要部透視図
　【図６】
　本発明の実施の形態２における面照明装置の正面図
　【図７】
　本発明の実施の形態４における面照明装置の正面図
　【図８】
　本発明の実施の形態４における面照明装置の断面図
　【図９】
　本発明の実施の形態４における面照明装置の要部正面図
　【図１０】
　本発明の実施の形態４における光源の側面図
　【図１１】
　従来の面照明装置の正面図
　【図１２】
　従来の面照明装置の断面図
　【図１３】
　光源の相対発光強度を示すグラフ
　【図１４】
　本発明の実施の形態３における導光板の正面図
　【符号の説明】
　【００５８】
　１，１９　光源
　２，２０　導光板
　３　光導入部
　４　導光部
　５　光放出部
　６　散乱面
　７　散乱パターン
　８　光放出面
　９　反射シート
　１０　拡散シート
　１１　ホルダー
　１２　回路基板
　１３　表示部
　１４　筺体
　１５　液晶表示素子
　１６　表示用配線
　１７　液晶表示装置
　１８　表示窓
　２１　乱反射板
　２２　乱反射パターン
　２３　発光素子
　２４　素子基板
　２５　モールド樹脂
　２６　凹面部